(57)【特許請求の範囲】
【請求項１】
筐体と、前記筐体内に設置される遊技機用基板ケースと、を備えた遊技機であって、
前記筐体は、筐体本体と、前記筐体本体の前側に位置して開閉可能な前扉と、を有し、
前記遊技機用基板ケースは、板状の基板を収容するケース本体と、前記ケース本体において、前記板状の基板を正面側から見た場合に、前記板状の基板と重ならない位置に配置されるとともに、前記板状の基板を外側から挟むような位置関係で、前記ケース本体の正面側を向くように形成された複数の目印部と、を有し、
複数の前記目印部は、前記前扉を開けた状態において視認可能な位置に配置され、
複数の前記目印部には、照射される光に応じて見え方が異なる光学体が形成され、
前記遊技機用基板ケースは、前記前扉を開けた状態において、前記筐体本体の外側からの光が照射困難である照射困難位置と、前記照射困難位置と比べて前記筐体本体の外側からの光が照射容易である照射容易位置と、を有し、
前記照射困難位置及び前記照射容易位置のいずれにも前記光学体が配置されるように、複数の前記目印部は前記ケース本体に、それぞれが分離して配置されるように形成されている、ことを特徴とする遊技機。
【発明の詳細な説明】
【技術分野】
【０００１】
本発明は、各種の電子基板を収容するために用いられる遊技機用基板ケースを備えた遊技機に関する。
【背景技術】
【０００２】
従来から、遊技機に対して、様々な不正行為が行われている。例えば、遊技機の筺体の内部には、メイン制御基板及びサブ制御基板等の基板が収容されているが、このメイン制御基板に実装された、遊技機を制御するためのプログラムが記録された記憶装置であるＲＯＭを、偽造されたＲＯＭに差し替えるという不正行為が行われる場合がある。この不正行為を防止するための対策として、例えば、特許文献１に開示されているように、メイン制御基板を遊技機用基板ケース内に収容し、この遊技機用基板ケースの外側面に封印シールを貼り付けることが行われている。
【先行技術文献】
【特許文献】
【０００３】
【特許文献１】特開２０１７−２１３２４７号公報
【発明の概要】
【発明が解決しようとする課題】
【０００４】
これにより、遊技機用基板ケースを破壊して上記の不正行為を行う場合は、その痕跡を隠すために、遊技機用基板ケースを偽造するだけでなく、封印シールも偽造する必要がある。また、この場合において、上記の偽造が巧妙であればあるほどその発見は困難なものとなる。また、このような偽造の技術は巧妙化していく。そこで、このような偽造を妨げることができる遊技機が求められている。
【０００５】
本発明は、上述の事情に鑑みて為されたものであり、その目的は、遊技機用基板ケースに対して行われる不正行為の発見を容易にし、不正行為の実施を抑制する遊技機を提供することである。
【課題を解決するための手段】
【０００６】
本発明の一態様に係る遊技機は、
筐体と、前記筐体内に設置される遊技機用基板ケースと、を備えた遊技機であって、
前記筐体は、筐体本体と、前記筐体本体の前側に位置して開閉可能な前扉と、を有し、
前記遊技機用基板ケースは、板状の基板を収容するケース本体と、前記ケース本体において、前記板状の基板を正面側から見た場合に、前記板状の基板と重ならない位置に配置されるとともに、前記板状の基板を外側から挟むような位置関係で、前記ケース本体の正面側を向くように形成された複数の目印部と、を有し、
複数の前記目印部は、前記前扉を開けた状態において視認可能な位置に配置され、
複数の前記目印部には、照射される光に応じて見え方が異なる光学体が形成され、
前記遊技機用基板ケースは、前記前扉を開けた状態において、前記筐体本体の外側からの光が照射困難である照射困難位置と、前記照射困難位置と比べて前記筐体本体の外側からの光が照射容易である照射容易位置と、を有し
前記照射困難位置及び前記照射容易位置のいずれにも前記光学体が配置されるように、複数の前記目印部は前記ケース本体に、それぞれが分離して配置されるように形成されている、
ことを特徴とする。
【０００７】
このように、上記遊技機によれば、前扉を開けた状態において、筐体本体の外側からの光が照射困難である照射困難位置に光学体が配置されるように、目印部が遊技機用基板ケースのケース本体に形成されている。これにより、不正行為者が遊技機用基板ケースにおいて光学体の位置等を認識することが困難となる。つまり、遊技中において何らかの不具合が生じた場合等において、筐体内の検査のために作業者により前扉が開けられることがあるが、このような場合に、遊技者等の作業者以外の者は、遊技機用基板ケースのどこに目印部が形成され、どこに光学体が形成されているのかを認識しにくい。また、光学体が形成されていることすらも認識することは困難である。仮に、作業者以外の者が遊技機用基板ケースに光学体が形成された目印部が形成されているということを認識できたとしても、この光学体の具体的な構成を認識することは、困難である。これにより、上記の検査における前扉の開放を手掛かりにして、光学体が配置された位置や光学体の構成等について、不正行為者に知られる可能性が低く、正規の光学体と見間違えるような光学体を偽造することは困難である。
【０００８】
また、上記遊技機によれば、不正行為者が、上記の検査における前扉の開放を手掛かりにして、光学体が配置された位置や光学体の構成等を認識することが困難であるため、正規の遊技用基板ケースと同じ遊技用基板ケースを偽造することは不可能である。そのため、遊技用基板ケースを偽造したものと取り替えるといった不正行為が行われたとしても、偽造された遊技用基板ケースであることを容易に発見できる。また、正規の光学体と同じ光学体を偽造することが困難であるため、ケース本体から光学体が形成された目印部を取り除き、その後目印部を元の場所に再形成することにより行われる不正行為についても、再形成した目印部（光学体）が偽造品であることが容易に発見できる。したがって、このような不正行為が行われたことを容易に発見できる。これにより、不正行為の実施についても抑制することができる。
【０００９】
なお、照射される光に応じて見え方が異なる光学体とは、例えば、ホログラムである。ホログラムは、照射される光の有無や、光の照射角度や、照射される光の強弱により、見た目が変化するとの性質を有している。例えば、ホログラムは、立体的画像を再生する用途、光の干渉を利用した意匠としての用途、偽造が困難であることを利用した偽造防止のための用途、画像や情報の記録・再生媒体としての用途、光の回折、反射、散乱等を制御する光学素子としての用途等に用いられている。
【００１０】
また、本発明の他の一態様に係る遊技機は、
筐体と、前記筐体内に設置される遊技機用基板ケースと、を備えた遊技機であって、
前記筐体は、筐体本体と、前記筐体本体の前側に位置して開閉可能な前扉と、を有し、
前記遊技機用基板ケースは、基板を収容するケース本体と、前記ケース本体の外側面に形成された目印部と、を有し、
前記目印部には、照射される光に応じて見え方が異なる光学体が形成され、
前記光学体は透過性を有し、
前記ケース本体内には、動作状態を外部に報知するための発光部が設置され、
前側から前記目印部を見た場合に、前記光学体が前記発光部よりも手前側であって、前記発光部の近傍に配置されるように、前記目印部は前記ケース本体に形成されている、ことを特徴とする。
【００１１】
このように、上記遊技機によれば、前側から目印部を見た場合に、光学体が発光部よりも手前側であって、発光部の近傍に配置されていることから、発光部からの光により、光が照射されない場合と比べて光学体の見え方が変化する。作業者は、正規の光学体の見え方を知っていることから、この光学体の見え方により、光学体が正規のものか偽造されたものかを容易に判断できる。特に、光が当たりにくい位置に光学体が配置されている場合は、作業者は懐中電灯等の携帯用照明器具を用いて光学体に光を照射して光学体の見え方を確認することとなるが、上記発明によればこのような作業は不要であり、発光部からの光により光学体の見え方を確認することができる。これにより、不正行為により、遊技機用基板ケースや光学体が正規のものではなく、偽造されたものと取り替えられていても、作業者は容易に発見できる。したがって、不正行為が行われたことを容易に発見することができる。また、このように不正行為が行われたことを容易に発見できることから、不正行為の実施についても抑制することができる。また、光学体が正規のものか偽造されたものかを判断するためだけに発光部を設けるわけではなく、動作状態を外部に報知するための発光部を用いて光学体が正規のものか偽造されたものかの判断を行うことから、部品点数の増加を抑制できる。
【００１２】
また、上述の遊技機において、
前側から前記目印部を見た場合に、前記光学体と前記発光部とが重複する箇所が存在するように、前記目印部は前記ケース本体に形成されている、こととしてもよい。
【００１３】
これにより、作業者が前側から目印部を見た場合において、発光部は光学体と重複していることから、発光部が発光した場合はその光が確実に光学体を透過して作業者に到達することとなる。これにより、作業者は、光学体の見え方から、光学体が正規のものか偽造されたものかをより確実に判断できる。これにより、不正行為により、遊技機用基板ケースや光学体が正規のものではなく、偽造されたものと取り替えられていても、作業者は容易に発見できる。したがって、不正行為が行われたことを容易に発見することができる。また、このように不正行為が行われたことを容易に発見できることから、不正行為の実施についても抑制することができる。
【００１４】
また、上述の遊技機において、
前記前扉に設置されていて遊技者が操作する操作手段を備え、
前記発光部は、前記操作手段が操作されたことにより発光する、こととしてもよい。
【００１５】
これにより、作業者は操作手段を操作することにより、発光部の発光タイミングを制御することができる。つまり、作業者は光学体に光を照射するタイミングを制御できる。これにより、光学体が正規なものか否かの判断をするための作業がやりやすく、作業者以外の者に光学体が認識されることを抑制することもできる。また、前扉は開閉可能であることから、作業者は、前扉の開き具合を調整することにより、前扉に設置されている操作手段を操作しやすい位置に調整して作業ができることから、作業がしやすい。
【図面の簡単な説明】
【００１６】
【図１】回胴式遊技機の外観構成を示す正面図である。
【図２】回動式遊技機の内部構成を示す前扉が開かれた状態の斜視図である。
【図３】本発明の実施形態に係る遊技機用基板ケースの外観構成を示す斜視図である。
【図４】本発明の実施形態に係る遊技機用基板ケースの構成を示す分解斜視図である。
【図５】本発明の実施形態に係る遊技機用基板ケースの第１シール付近の構成を示す拡大正面図である。
【図６】本発明の実施形態に係る遊技機用基板ケースにおいてカバー部及びベース部のカシメ部及び粗面部における結合状態を示す分解斜視断面図である。
【図７】本発明の実施形態に係る遊技機用基板ケースにおいてカバー部及びベース部のカシメ部及び粗面部における結合状態を示す斜視断面図である。
【図８】本発明の実施形態に係る遊技機用基板ケースのカバー部の粗面部付近の構成を示す拡大正面図である。
【図９】本発明の実施形態に係る遊技機用基板ケースのベース部の粗面部付近の構成を示す拡大正面図である。
【図１０】本発明の実施形態に係る遊技機用基板ケースにおいて第１シールを貼る前の粗面部付近の構成を示す拡大正面図である。
【図１１】本発明の実施形態に係る遊技機用基板ケースの粗面部の形状を示す斜視図である。
【図１２】本発明の実施形態に係る遊技機用基板ケースの粗面部の形状を示す拡大斜視図である。
【図１３】本発明の実施形態に係る第１シール（第２シール）の構成を示す平面図である。
【図１４】本発明の実施形態に係る第１シール（第２シール）の構成を示す断面図である。
【図１５】本発明の実施形態に係る遊技機用基板ケースにおけるシールが貼り付けられた状態を示す断面図である。
【図１６】本発明の実施形態に係る遊技機用基板ケースにおけるシールの貼り付け作業を説明するための斜視図である。
【図１７】本発明の実施形態に係る遊技機用基板ケースにおけるシールの貼り付け作業を説明するための工程図であり、図１７（ａ）は第１工程図であり、図１７（ｂ）は第２工程図であり、図１７（ｃ）は第３工程図であり、図１７（ｄ）は第４工程図である。
【図１８】本発明の他の実施形態に係る遊技機用基板ケースにおける粗面部の形状を説明するための断面図であり、図１８（ａ）〜図１８（ｄ）は各実施形態を示す断面図である。
【図１９】本発明の実施形態に係る遊技機用基板ケースの第２シール付近の構成を示す拡大正面図である。
【図２０】本発明の実施形態に係る筐体本体内における遊技機用基板ケースの配置を示す拡大正面図である。
【図２１】本発明の実施形態に係る遊技機用基板ケースの第１シールとモニタＬＥＤとの配置を示す拡大正面図である。
【図２２】本発明の他の実施形態に係る遊技機用基板ケースの外観構成を示す斜視図である。
【図２３】本発明の他の実施形態に係る遊技機用基板ケースの第３シールとモニタＬＥＤとの配置位置を示す拡大正面図である。
【図２４】本発明の他の実施形態に係る遊技機用基板ケースの第４シールと役比モニタとの配置位置を示す拡大正面図である。
【図２５】本発明の他の実施形態に係る第１シールの視認状態を示す平面図であり、図２５（ａ）は第１視認状態を示す図であり、図２５（ｂ）は第２視認状態を示す図であり、図２５（ｃ）は第３視認状態を示す図である。
【発明を実施するための形態】
【００１７】
本発明の遊技機用基板ケースの実施形態について、図面を参照しながら、具体的に説明する。なお、以下の説明において、本発明の遊技機用基板ケースを回胴式遊技機において採用する場合を例に挙げて説明するが、本発明の遊技機用基板ケースは、パチンコ遊技機等の他の遊技機においても採用することができる。
【００１８】
（回胴式遊技機の全体構成の説明）
図１は、回胴式遊技機の外観構成を示す正面図である。また、図２は、回動式遊技機の内部構成を示す前扉が開かれた状態の斜視図である。
図１に示すように、回胴式遊技機１０は、その前面側に、メダルを投入するためのメダル投入口１１と、メダルを払い出すためのメダル払出口１２と、その外周面に図柄が描かれた３本のリール１３、１４、１５と、映像演出を行うための液晶ディスプレイ１６と、照明演出を行うための発光ランプ（図示省略）と、音声演出を行うためのスピ−カー１７等を備えたものとなっており、操作部として、１遊技当たりの最大枚数（通常３枚）のメダルをベットするためのマックスベットボタン（操作手段）１８と、ベットするメダルを１枚ずつ増加するためのシングルベットボタン１９と、リール１３、１４、１５の回転を開始するためのスタートレバー（操作手段）２０と、リール１３、１４、１５の回転をそれぞれ停止するための３個のストップボタン（操作手段）２１、２２、２３と、演出を切り替えるためのチャンスボタン２４と、クレジットされたメダルを払い戻すための払戻しボタン２５等を有するものとなっている。なお、これらマックスベットボタン１８、シングルベットボタン１９、スタートレバー２０、ストップボタン２１、２２、２３、チャンスボタン２４、払戻しボタン２５は操作手段である。
【００１９】
この回胴式遊技機１０は、メダルのクレジット枚数が所定枚数以上となった状態でスタートレバー２０が操作されると、役抽選が実行されるとともにリール１３、１４、１５が一斉に回転を開始し、ストップボタン２１、２２、２３がそれぞれ操作されると、操作されたストップボタン２１、２２、２３に対応するリール１３、１４、１５の回転が停止し、すべてのリール１３、１４、１５が停止したときにリール窓１０ｂ１の有効ライン上に表示される図柄の組み合わせが役抽選で当選した役に対応したものとなっていた場合（入賞した場合）は、その役に応じた枚数のメダルが払い出される。なお、メダルのクレジット枚数が上限値に達しているときには、ホッパーユニット３６（図２を参照）から送出されたメダルがメダル払出口１２を通じて払い出されるようになっている。つまり、上限値を超えてメダルを投入することができない。一方、メダルのクレジット枚数が上限値に達していない場合は、メダル投入口１１にメダルが投入されるか、又は、入賞によってメダルが払い出された場合にメダルのクレジット枚数が増加するようになっている。
【００２０】
図２に示すように、回胴式遊技機１０は、前方が開放された箱状である筺体本体１０ａと、筺体本体１０ａの前面側に開閉可能な状態で取り付けられた前扉１０ｂとで構成された遊技機筺体１０ｃの内部に各種の機器が収容されたものとなっている。本実施形態において、遊技機筺体１０ｃの内部には、メイン制御基板ユニット３０、サブ制御基板ユニット３１、液晶ユニット３２、電源ユニット３３、コネクタユニット３４、リールユニット３５及びホッパーユニット３６等が納められている。
【００２１】
メイン制御基板ユニット３０は、役抽選、入賞判定及び遊技動作等、遊技における基本的な制御を行う電子基板（メイン制御基板）を備えている。サブ制御基板ユニット３１は、発光ランプや音声による演出等、遊技における演出に関する制御を行う電子基板（サブ制御基板）を備えている。液晶ユニット３２は、液晶ディスプレイ１６（図１を参照）に表示される映像による演出に関する制御を行う電子基板（映像基板）を備えている。電源ユニット３３は、回胴式遊技機１０における各機器に電力を供給する電子基板（電源基板）を備えている。コネクタユニット３４は、特定の機器に接続されたケーブルを仲介する電子基板（仲介基板）を備えている。リールユニット３５は、リール１３、１４、１５の回転をそれぞれ独立して制御する電子基板（リール制御基板）を備えている。ホッパーユニット３６は、メダル投入口１１（図１を参照）に投入されたメダルを回収するとともに、メイン制御基板ユニット３０からの信号に基づいてメダル払出口１２（図１を参照）へメダルを送出する制御を行う電子基板（ホッパー制御基板）を備えている。
【００２２】
これらのユニットに備えられた各種電子基板は、不正行為の対象となり得る。例えば、メイン制御基板ユニット３０に備えられた電子基板（メイン制御基板）には、回胴式遊技機１０における基本的な制御を行うためのプログラムが記録された記憶装置であるＲＯＭが搭載されている。このＲＯＭを、偽造された不正なＲＯＭに交換することにより、役抽選、入賞判定及び遊技動作を正規のものと異なるようにすることができる。例えば、遊技中に特定の操作を行うことにより、必ず大当たりになるような制御が行われる等、回胴式遊技機１０に不正な改造がなされることとなる。
【００２３】
このような不正行為を防ぐために、回胴式遊技機１０等の遊技機においては、この種の電子基板を、ケースの内部に収容して封止するとともに、当該ケースの外側面には、ケースが開封されたか否かを認識できるようにするための封印シールを貼りつけることが行われている。本実施形態においては、後述するが、図３〜図５に示すように、遊技機用基板ケース１００ａにおいて、基板ケース本体１００の内部に、電子基板を収容することによって、当該電子基板を封止する構造とするとともに、基板ケース本体１００の外側面に、封印シールとして第１シール（目印部）２００ａが貼り付けられている（形成されている）。なお、第１シール２００ａの構成の詳細については後述するが、第１シール２００ａにはホログラム２０１が形成されている。また、基板ケース本体１００の外側面には、第２シール２００ｂも貼り付けられている。第２シール２００ｂは封印シールではないが、第１シール２００ａと同様の構成を有する。
【００２４】
（遊技機用基板ケースの説明）
本発明の遊技機用基板ケース１００ａについて、図面を用いて具体的に説明する。なお、本発明の遊技機用基板ケース１００ａの技術的範囲は、以下の説明に限定されず、発明の趣旨を損なわない範囲で適宜変更を施すことができる。また、以下においては、メイン制御基板ユニット３０（図２を参照）の電子基板（メイン制御基板）を封止するものを例に挙げて、遊技機用基板ケース１００ａについて説明する。なお、本発明の遊技機用基板ケースは、メイン制御基板以外の電子基板を封止する場合にも採用することが可能である。例えば、サブ制御基板ユニット３１の電子基板（サブ制御基板）を封止する場合や、液晶ユニット３２の電子基板（映像基板）を封止する場合等にも、本発明の遊技機用基板ケースを採用することが可能である。
【００２５】
なお、図２に示すように、メイン制御基板ユニット３０は、筺体本体１０ａの天板１０ａ１に接近した位置に設置されている。したがって、遊技機用基板ケース１００ａも、筺体本体１０ａにおいて、天板１０ａ１に接近した位置に設置されている。なお、詳細は、後述するが、遊技機用基板ケース１００ａの上側の一部は、天板１０ａ１により、筺体本体１０ａの外側からの光が照射されにくい。また、遊技機用基板ケース１００ａの前扉１０ｂ側の一部は、前扉１０ｂにより、筺体本体１０ａの外側からの光が照射されにくい。なお、遊技機用基板ケース１００ａの前扉１０ｂ側とは、筺体本体１０ａを正面から見た場合の左側である。なお、前扉１０ｂは筺体本体１０ａに対して蝶番等により連結されており、開閉が可能である。
【００２６】
図３は、本発明の実施形態に係る遊技機用基板ケースの外観構成を示す斜視図である。また、図４は、本発明の実施形態に係る遊技機用基板ケースの構成を示す分解斜視図である。また、図５は、本発明の実施形態に係る遊技機用基板ケースの第１シール付近の構成を示す拡大正面図である。
【００２７】
図３及び図４に示すように、遊技機用基板ケース１００ａは、基板ケース本体１００と、基板ケース本体１００に貼り付けられた第１シール２００ａ及び第２シール２００ｂと、を備えている。さらに、基板ケース本体１００は、ベース部１１０及びカバー部１２０が組み合わされて連結され、一体化されて構成されている。図４に示すように、ベース部１１０及びカバー部１２０が接合された基板ケース本体１００の内部には電子基板３００が収容されている。つまり、電子基板３００は、ベース部１１０及びカバー部１２０により覆われている。この電子基板３００には、役抽選、入賞判定及び遊技動作等、遊技における基本的な制御を行うためのデータが格納されているＲＯＭが搭載されている。
【００２８】
また、基板ケース本体１００に含まれるベース部１１０及びカバー部１２０と、第１シール２００ａとは、いずれも透光性を有する。第１シール２００ａ及び第２シール２００ｂを構成する材料は主に樹脂であり、詳細については、後述する。また、詳細は後述するが、第１シール２００ａ及び第２シール２００ｂにはホログラム２０１（図１３参照）が形成されている。ベース部１１０及びカバー部１２０は、例えば、ＡＢＳ樹脂（アクリロニトリル・ブタジエン・スチレン共重合樹脂）やＰＣ（ポリカーボネート）といった熱可塑性樹脂により構成されている。また、これらベース部１１０及びカバー部１２０は透過性を有し、透明であることから、外側から内部に配置された電子基板３００を視認することができる。
【００２９】
また、カバー部１２０には、電子基板３００に形成されたコネクタ３０１ａ〜３０１ｃを外部に露出するためのコネクタ孔１２１ａ〜１２１ｃが形成されている。コネクタ孔１２１ａ〜１２１ｃからコネクタ３０１ａ〜３０１ｃが露出することにより、電子基板３００は外部と電気信号を送受信することができる。また、図示はされていないが、カバー部１２０には、ベース部１１０及びカバー部１２０を一体化する際に、ベース部１１０に形成されているガイド溝１１２に嵌まり込むピンが形成されている。なお、ガイド溝１１２は、途中で垂直に曲がる形状（Ｌ字状）である。詳細は後述するが、ガイド溝１１２にこのピンが嵌まり込み、ピンがガイド溝１１２に沿って案内されることにより、ベース部１１０とカバー部１２０とが固定される状態となる。
【００３０】
また、電子基板３００には、モニタＬＥＤ（発光部）３０２及び役比モニタ（発光部）３０３が設置されている。具体的には、電子基板３００におけるカバー部１２０側の面上にモニタＬＥＤ３０２及び役比モニタ３０３が設置されている。モニタＬＥＤ３０２は、回胴式遊技機１０のスイッチ（ボタン）やセンサー等の状態を示すものであり、複数のＬＥＤから構成されている。これら複数のＬＥＤのそれぞれは、回胴式遊技機１０における各スイッチ（ボタン）やセンサー等に対応しており、これらの状態に応じて点灯する。例えば、スタートレバー２０が操作されると、スタートレバー２０に対応するＬＥＤが点灯し、ストップボタン２１、２２、２３が操作されると、ストップボタン２１、２２、２３に対応する３つのＬＥＤがそれぞれ点灯する。なお、これらの操作が終わると、ＬＥＤは再び消灯する。これにより、モニタＬＥＤ３０２によって、スイッチ（ボタン）やセンサー等の動作状態を認識できる。例えば、遊技店の従業員等の作業者は、モニタＬＥＤ３０２を用いて、回胴式遊技機１０における動作が正常か否かの確認を行う。
【００３１】
また、役比モニタ３０３は、役物比率や有利区間比率等を表示するものであり、４個の７セグメントＬＥＤを有している。役物比率や有利区間比率が、異常な値を示していると、不正行為が行われている可能性がある。そこで、作業者は、役比モニタ３０３を確認することにより、不正行為が行われているか否かを検査する。また、上述したように、カバー部１２０は透明であることから、遊技機用基板ケース１００ａの外部からモニタＬＥＤ３０２及び役比モニタ３０３を確認することができる。また、モニタＬＥＤ３０２及び役比モニタ３０３において、ＬＥＤが点灯することから、カバー部１２０を介して外部に光が照射されている。
【００３２】
詳細は後述するが、基板ケース本体１００の上部両端には、それぞれ、ベース部１１０及びカバー部１２０が強固に連結され、かつ、不正行為が行いにくい構造とするためのカシメ部１０１が形成されている。また、特に図５に示されているように、このカシメ部１０１が正しく構成されているか（ベース部１１０及びカバー部１２０が正しく連結されているか）を確認するための窓部１０２が形成されている。窓部１０２は、基板ケース本体１００において比較的厚みが薄く形成された箇所であり、その分透明度が高い。さらに、窓部１０２はフラットであり、窓部１０２を介して内側を見やすく形成されている。つまり、窓部１０２を介して、外側からカシメ部１０１の内側を容易に視認することができる。これにより、窓部１０２を用いてカシメ部１０１が正しく構成されているかを確認することができる。
【００３３】
また、基板ケース本体１００には、ベース部１１０及びカバー部１２０のそれぞれ一部により構成されている表面に凹凸形状が形成された粗面部１３０が形成されている。粗面部１３０の詳細については、後述するが、この粗面部１３０には第１シール２００ａが貼り付けられている。なお、粗面部１３０の面積は第１シール２００ａより広く、粗面部１３０の一部は露呈し、残りの部分は第１シール２００ａに覆われている。後述するが、粗面部１３０が露呈した部分と、粗面部１３０において第１シール２００ａにより覆われた部分とでは、見え方が異なっていることから、容易に目視により第１シール２００ａが正しく粗面部１３０に貼り付けられているか否かの確認を行うことができる。
【００３４】
また、粗面部１３０の表面に凹凸形状が形成されていることから、第１シール２００ａは表面が粗面でなく滑らかな面（フラットな面）に貼り付けた場合に比べて容易に剥がすことができない。具体的には、第１シール２００ａとの接触面積が滑らかな面に比べて大きくなることから強固に貼り付くこととなるためである。このように、第１シール２００ａが強固に粗面部１３０に貼り付けられており、剥がすことが困難である。さらに、第１シール２００ａは、粗面部１３０に熱転写される。つまり、第１シール２００ａは、粗面部１３０に熱固着されることにより貼り付けられている。具体的には、熱可塑性の材料が熱により溶かされた状態で粗面部１３０に押しつけられ、その後冷却されることで熱可塑性の材料が硬化することにより、第１シール２００ａが粗面部１３０に貼り付けられている。これにより、第１シール２００ａが粗面部１３０により強固に貼り付けられている。
【００３５】
図４及び図５に示すように、ベース部１１０とカバー部１２０とを一体化した際に、ベース側粗面部１３１及びカバー側粗面部１３２が隣接して配置され、さらにベース側粗面部１３１の表面及びカバー側粗面部１３２の表面が同一の面となり、これらベース側粗面部１３１及びカバー側粗面部１３２により粗面部１３０が構成される。さらに、粗面部１３０を覆うように、第１シール２００ａが粗面部１３０に貼り付けられている。この際、第１シール２００ａはベース側粗面部１３１の表面及びカバー側粗面部１３２の両方に亘るように貼り付けられる。つまり、ベース側粗面部１３１の表面及びカバー側粗面部１３２の表面の境界にも第１シール２００ａが貼り付けられる。
【００３６】
このように、ベース側粗面部１３１の表面及びカバー側粗面部１３２の表面に亘るように第１シール２００ａが貼り付けられている。また、電子基板３００（ＲＯＭ）を偽造したものに入れ替えるために、一体化されたベース部１１０及びカバー部１２０を開くと、隣接して配置されているベース側粗面部１３１及びカバー側粗面部１３２が離間することとなる。したがって、第１シール２００ａを粗面部１３０から剥がすか、第１シール２００ａを破って破損させるかしないと、一体化されたベース部１１０及びカバー部１２０を開けることができず、電子基板３００を偽造したものに入れ替える不正行為を行うことが困難である。つまり、第１シール２００ａは封印シールとして機能している。
【００３７】
また、上述したように、第１シール２００ａは粗面部１３０のすべてを覆うのではなく、粗面部１３０の一部が露呈するように第１シール２００ａを貼り付けることとしたが、これに限定されるわけではない。例えば、粗面部１３０の全面に第１シール２００ａが貼り付けられた構成や、粗面部１３０の面積に比べて第１シール２００ａの面積が広く、粗面部１３０を越えた領域に亘って第１シール２００ａが貼り付けられている構成としてもよい。第１シール２００ａが、すべての粗面部１３０に貼り付けられていることにより、貼り付けられる面積が大きくなり、その分第１シール２００ａが粗面部１３０に強固に貼り付けられる。
【００３８】
上述したように、第１シール２００ａは粗面部１３０に強固に貼り付けられていることから、粗面部１３０から剥がすことが困難であり、不正行為を行うことが困難である。また、強引に第１シール２００ａを剥がそうとすると、その痕跡が残ることとなる。例えば、硬い工具などで第１シール２００ａを剥がそうとすると、カバー側粗面部１３２等に傷が付くこととなる。したがって、電子基板３００を偽造したものに入れ替えられたとしても、容易に発見することができる。
【００３９】
また、ベース部１１０には、貼付け部１３６が形成されている。貼付け部１３６は第２シール２００ｂが貼り付けられる箇所である。なお、貼付け部１３６は粗面部１３０のようにベース部１１０及びカバー部１２０に亘るわけではなく、ベース部１１０にのみ形成されている。また、第２シール２００ｂも第１シール２００ａと同様に、貼付け部１３６に熱転写されることで形成される。つまり、第２シール２００ｂは、貼付け部１３６に熱固着されることにより貼り付けられている。具体的には、熱可塑性の材料が熱により溶かされた状態で貼付け部１３６に押しつけられ、その後冷却されることで熱可塑性の材料が硬化することにより、第２シール２００ｂが貼付け部１３６に貼り付けられている。これにより、第２シール２００ｂが貼付け部１３６に、より強固に貼り付けられる。
【００４０】
なお、基板ケース本体１００の作製手順としては、まず、電子基板３００をネジ４０１ａ〜４０１ｄによりカバー部１２０に固定し、さらに、カバー部１２０及びベース部１１０により電子基板３００を覆うようにこれらを連結し、さらにカバー部１２０及びベース部１１０を一体化する。この際、上述したように、カバー部１２０に形成されたピンが、ベース部１１０のガイド溝１１２に嵌まり込むように、カバー部１２０及びベース部１１０を連結する。ピンがガイド溝１１２に沿って案内されることで、まずカバー部１２０とベース部１１０とが互いに近づくように組み合わされる。そして、上述したようにガイド溝１１２が垂直に曲がっていることから、カバー部１２０及びベース部１１０は、ガイド溝１１２に沿って互いに横方向（電子基板３００に対して平行な方向）にスライドされる。この状態において、ピンがガイド溝１１２に嵌まっていることから、ベース部１１０及びカバー部１２０は、互いに離れる方向（電子基板３００に対して垂直方向）においては固定されることとなる。
【００４１】
この状態で、ネジ４０２ａ、４０２ｂによりカバー部１２０及びベース部１１０が固定される。なお、カバー部１２０及びベース部１１０を連結した際には、上述のカシメ部１０１が形成されることとなる。カシメ部１０１によってもカバー部１２０及びベース部１１０がより強固に固定される。また、カシメ部１０１が形成されることにより、カバー部１２０及びベース部１１０の隙間に例えばワイヤーや板状体等をねじ込んで基板ケース本体１００を開ける等の不正行為を防止することができる。なお、カシメ部１０１の構成については、後述する。
【００４２】
ここで、カシメ部１０１及び粗面部１３０の構成について図面を用いて説明する。
図６は、本発明の実施形態に係る遊技機用基板ケースにおいてカバー部及びベース部のカシメ部及び粗面部における結合状態を示す分解斜視断面図である。また、図７は、本発明の実施形態に係る遊技機用基板ケースにおいてカバー部及びベース部のカシメ部及び粗面部における結合状態を示す斜視断面図である。なお、図６及び図７は、第１シール２００ａの近傍におけるカシメ部１０１に関する図である。
【００４３】
また、図８は、本発明の実施形態に係る遊技機用基板ケースのカバー部の粗面部付近の構成を示す拡大正面図である。また、図９は、本発明の実施形態に係る遊技機用基板ケースのベース部の粗面部付近の構成を示す拡大正面図である。また、図１０は、本発明の実施形態に係る遊技機用基板ケースにおいて第１シールを貼る前の粗面部付近の構成を示す拡大正面図である。
【００４４】
図６に示すようにベース部１１０にはベース側カシメ部１１１が形成されており、このベース側カシメ部１１１がカバー部１２０に形成されたカバー側カシメ部１２２と組合されてカシメ部１０１（図７）が構成される。また、ベース側カシメ部１１１は、カバー部１２０側へと突出して形成された筒状の接着剤保持部１１１ａと、接着剤保持部１１１ａの上部に形成された対となる２つの突出部であり、可撓性を有する引掛り部１１１ｂとを有している。
【００４５】
また、カバー側カシメ部１２２は、ベース部１１０及びカバー部１２０が一体となるように組み合わされた際に、接着剤保持部１１１ａに嵌まり込む突出部である接着部１２２ａと、アーム１２２ｂと、アーム１２２ｂに形成された矢じり状部１２２ｄとを有している。矢じり状部１２２ｄは、図６における下方に向かって徐々に狭まっていき、上方に向かって徐々に広がっていく形状である。
【００４６】
このようなベース側カシメ部１１１及びカバー側カシメ部１２２において、接着剤保持部１１１ａに接着剤が充填された状態で、ベース側カシメ部１１１及びカバー側カシメ部１２２が組み合わせられることにより、接着剤保持部１１１ａに接着部１２２ａが挿入される。ここで、上述したように、カバー部１２０及びベース部１１０を一体化する際は、まず、カバー部１２０とベース部１１０とが互いに近づくように組み合わされ、その後、カバー部１２０及びベース部１１０を互いに横方向にスライドさせる。このように、スライドさせる際に、矢じり状部１２２ｄが２つの引掛り部１１１ｂの間に挿入される。このとき、矢じり状部１２２ｄの最も狭い箇所である先端部から引掛り部１１１ｂの間に挿入されることから、矢じり状部１２２ｄの引掛り部１１１ｂの間への挿入が進むのに合わせて２つの引掛り部１１１ｂは互いに離れる方向へと撓み、矢じり状部１２２ｄの後端部が引掛り部１１１ｂ間を通り抜けると、撓んでいた引掛り部１１１ｂは元の状態に戻る。この状態において、矢じり状部１２２ｄの後端部は、２つの引掛り部１１１ｂ間の距離よりも大きいことから、矢じり状部１２２ｄは引掛り部１１１ｂに引っ掛かることとなる。このため、これら矢じり状部１２２ｄあるいは引掛り部１１１ｂを破壊することなく、再びスライド前の状態（矢じり状部１２２ｄが引掛り部１１１ｂ間に挿入される前の状態）に戻すことは困難となる。つまり、カバー部１２０とベース部１１０とを分離する際には、矢じり状部１２２ｄあるいは引掛り部１１１ｂに痕跡が残ることとなる。このように、カバー部１２０及びベース部１１０を一体化させた状態で所定時間おいておくことにより、接着剤保持部１１１ａの接着剤が硬化し、接着剤保持部１１１ａと接着部１２２ａとを固着させる。ここで、接着剤としては、接着剤保持部１１１ａと接着部１２２ａとを固着させることができるものであればよく、樹脂同士を接着することができるものであれば、特に限定されない。例えば、紫外線により硬化される接着剤を用いてもよい。それにより、紫外線を照射させることによって、短時間で接着剤を硬化させることができる。
【００４７】
上述のように、ベース側カシメ部１１１及びカバー側カシメ部１２２が組み合わされて、図７に示すように、カシメ部１０１が形成される。このように、カシメ部１０１内には、接着剤保持部１１１ａ、引掛り部１１１ｂ、接着部１２２ａ及びアーム１２２ｂ等が設置されているので、例えば、カバー部１２０及びベース部１１０の隙間にワイヤーや板状体等をねじ込んで基板ケース本体１００を開ける等の不正行為を行うことは困難である。また、接着剤保持部１１１ａ、引掛り部１１１ｂ、接着部１２２ａ及びアーム１２２ｂをカッター等の工具で切断することも困難である。
【００４８】
さらに、カシメ部１０１よりも内側には、ベース部１１０からカバー部１２０側に突出形成される遮断板１１１ｃ（図６を参照）及び、カバー部１２０からベース部１１０側に突出形成される遮断板１２２ｃ（図６を参照）が、互いに対向して並んで配置されることとなる。さらに基板ケース本体１００の内部にワイヤーや板状体等を差し入れることは困難である。したがって、不正行為を行うことは困難である。また、ベース部１１０及びカバー部１２０を開くためには、カシメ部１０１を破壊することとなり、ベース部１１０及びカバー部１２０を開いた後に不正行為に気づかれないように元に戻すことは困難である。このため、不正行為を抑制することもできる。
【００４９】
なお、上述したように、カバー部１２０においてカシメ部１０１を基板ケース本体１００の外側から確認することができるように窓部１０２が形成されている。窓部１０２が形成されていることから、基板ケース本体１００の外側からカシメ部１０１が正しく構成されているかを容易に確認することができる。したがって、製造時のチェックや、点検等も楽に行うことができる。また、上記説明では、粗面部１３０の近傍に設けられるカシメ部１０１について説明したが、カシメ部１０１は基板ケース本体１００の上部端部にそれぞれ設けられている。つまり、カシメ部１０１はもう１つ設けられているが、位置が異なる以外は上記説明したカシメ部１０１と同様の構成であることから、説明を省略する。
【００５０】
次に、粗面部１３０の結合状態について図面を用いて説明する。図８に示すように、カバー部１２０において、窓部１０２のすぐ下側にカバー側粗面部１３２が設けられている。また、図９に示すように、ベース部１１０においてベース側粗面部１３１が設けられ、ベース側粗面部１３１の上方には段差部１１１ｄが設けられている。段差部１１１ｄは、図６に示すように、ベース側粗面部１３１に対して高さｈｓの段差が形成されている。具体的には、ベース側粗面部１３１に対してカバー部１２０の反対側に下がる方向に段差が形成されている。そして、この段差部１１１ｄの段差の高さｈｓは、カバー側粗面部１３２の厚さｔｒと同一である。
【００５１】
図７及び図１０に示すように、ベース部１１０及びカバー部１２０が組み合わされた状態において、カバー側粗面部１３２が段差部１１１ｄに嵌まり込んで、これらが結合される。上述したように、段差部１１１ｄの段差の高さｈｓは、カバー側粗面部１３２の厚さｔｒと同一であることから、カバー側粗面部１３２及びベース側粗面部１３１が１つの面である粗面部１３０を形成することとなる。つまり、ベース部１１０及びカバー部１２０が組み合わされて結合されることにより、ベース側カシメ部１１１及びカバー側カシメ部１２２が組み合わされてカシメ部１０１が形成され、ベース側粗面部１３１及びベース側粗面部１３１が結合されて粗面部１３０が形成されることとなる。
【００５２】
ベース側粗面部１３１及びベース側粗面部１３１が結合される際は、上述したように、カバー側粗面部１３２は、ベース部１１０のベース側粗面部１３１から高さｈｓだけ段差がついた段差部１１１ｄに嵌まり込むことにより、ベース側粗面部１３１の表面及びカバー側粗面部１３２の表面側が同一面となり粗面部１３０を形成する。また、段差部１１１ｄは支持部１１１ｅにより支持されることから、例えば、第１シール２００ａを粗面部１３０に貼り付ける際にカバー側粗面部１３２に押圧力がかかってもカバー側粗面部１３２が撓むことがなく、第１シール２００ａにしわや浮き等が生じないように貼り付けることができる。
【００５３】
次に、粗面部１３０の凹凸形状について図面を用いて説明する。
図１１は、本発明の実施形態に係る遊技機用基板ケースの粗面部の形状を示す斜視図である。また、図１２は、本発明の実施形態に係る遊技機用基板ケースの粗面部の形状を示す拡大斜視図である。
【００５４】
図１１に示すように、粗面部１３０はベース側粗面部１３１及びカバー側粗面部１３２により形成されている。ベース側粗面部１３１及びカバー側粗面部１３２は隣接して境界１３５において互いに接触するように配置され、ベース側粗面部１３１及びカバー側粗面部１３２により粗面部１３０を形成している。また、ベース側粗面部１３１の表面及びカバー側粗面部１３２の表面は互いに段差を生じないように配置されており、ベース側粗面部１３１の及びカバー側粗面部１３２が一体となって、粗面部１３０を形成している。これにより、粗面部１３０に第１シール２００ａを貼り付けた場合に、第１シール２００ａにしわや浮き等が生じにくく、きれいに貼り付けることができる。これにより、製造作業における効率がよいとの効果を奏する。また、第１シール２００ａをより強固に貼り付けることができる。また、ベース側粗面部１３１及びカバー側粗面部１３２により粗面部１３０が形成されていることから、ベース部１１０及びカバー部１２０に亘って第１シール２００ａを貼り付けることができる。
【００５５】
粗面部１３０には、凹凸形状が形成されている。図１２に示すように、具体的には、凹部１３３及び凸部１３４は、線状に形成されており、互いに隣接する凹部１３３及び互いに隣接する凸部１３４は、所定間隔を隔てて平行に配置されている。このように規則正しく配列された線状の凹部１３３及び凸部１３４は、例えば、金型によりベース部１１０及びカバー部１２０を作製する際に、この金型におけるベース側粗面部１３１及びカバー側粗面部１３２に対応する個所に凹凸形状を形成しておくことで、容易に作成することができる。例えば、金型の該当箇所にシボ加工や微細彫刻等により、予め凹凸形状を加工しておき、この金型を用いてベース部１１０及びカバー部１２０を射出成形により作製する際に、同時にベース側粗面部１３１及びカバー側粗面部１３２において凹部１３３及び凸部１３４を形成することができる。
【００５６】
なお、これ以外の方法により凹部１３３及び凸部１３４を形成してもよく、例えば、金型において凹凸形状を形成せず、ベース部１１０及びカバー部１２０を金型により作製した後に、研磨加工等を行うことにより、ベース側粗面部１３１及びカバー側粗面部１３２に凹部１３３及び凸部１３４を作製することとしてもよい。また、ベース部１１０及びカバー部１２０をいわゆる３Ｄプリンタ等により積層造形で作製し、その際に凹部１３３及び凸部１３４を形成するようにしてもよい。
【００５７】
粗面部１３０における、凹部１３３及び凸部１３４は目視により認識できる程度が好ましい。例えば基板ケース本体１００が透光性を有する樹脂により作製されていることから透明であるが、粗面部１３０については凹凸形状が形成されていることから、フラットな面とは異なり、空気と粗面部１３０との屈折率の関係により粗面部１３０は白っぽく見えることとなる。このように、粗面部１３０とそれ以外の箇所との違いが目視により確認できるような凹凸形状が形成されていればよく、凹凸の形状を具体的に認識できるほど凹部１３３及び凸部１３４の段差が大きくなくてもよい。
【００５８】
粗面部１３０における凸部１３４の高さｈｒ（凹部１３３の深さ）は、例えば１μｍとすればよいが、この値に限定されるわけではなく、高さｈｒは目視によりフラットの面との違いが認識できる程度とすればよい。また、互いに隣接する凹部１３３の間隔ｐ及び互いに隣接する凸部１３４の間隔ｐも例えば１μｍとすればよいが、この値に限定されるわけではなく、間隔ｐは目視によりフラットの面との違いが認識できる程度とすればよい。なお、高さｈｒと間隔ｐとが同一の長さとしたが、互いに異なる長さとしてもよい。
【００５９】
上述したように、粗面部１３０において、凹部１３３及び凸部１３４は、線状に形成されており、凹部１３３及び凸部１３４が交互に配置され、これらが所定間隔を隔てて平行に配置されている。つまり、粗面部１３０の凹凸形状は山型の凹部１３３及び凸部１３４が平行に規則正しく並んで配置されている形状としたが、粗面部１３０の凹凸形状は、このような形状に限定されるわけではなく、これ以外の形状であってもかまわない。
【００６０】
次に、図面を用いて第１シール２００ａ及び第２シール２００ｂについて説明する。第１シール２００ａ及び第２シール２００ｂは同様の構成である。なお、第２シール２００ｂは第１シール２００ａとは異なり、粗面ではなく平滑面（フラットな面）に貼り付けられている。
【００６１】
図１３は、本発明の実施形態に係る第１シール（第２シール）の構成を示す平面図である。また、図１４は、本発明の実施形態に係る第１シール（第２シール）の構成を示す断面図である。
【００６２】
図１３に示すように第１、第２シール２００ａ、２００ｂには、複数の星形等のホログラム２０１が形成されている。このように、ホログラム２０１が形成されていることから、第１シール２００ａの製造難度が高くなり、第１シール２００ａの偽造を困難にすることができる。また、ホログラム２０１が形成されていることにより、第１、第２シール２００ａ、２００ｂにしわや浮きが生じている等、貼り付けられた状態の異常を、目視により容易に認識できる。したがって、例えば、不正行為により、第１、第２シール２００ａ、２００ｂを一旦剥がして貼り直した場合に第１、第２シール２００ａ、２００ｂに生じるしわや浮き等の異常を速やかに発見することができる。
【００６３】
なお、ホログラム２０１は星形以外の形状でもよく、この形に限定されるわけではなく、他の形状であってもかまわない。また、図１３では、ホログラム２０１の形状を示すために、ホログラム２０１を記載しているが、第１、第２シール２００ａ、２００ｂに照射される光が弱い場合は、ホログラム２０１は視認不可能である。なお、ホログラム２０１は、照射される光に応じて見え方が異なる光学体であり、例えば、照射される光の有無や、光の照射角度や、照射される光の強弱により、見た目が変化するといった性質を有している。つまり、第１、第２シール２００ａ、２００ｂに照射される光が弱い場合には、ホログラム２０１が視認できない。つまり、第１、第２シール２００ａ、２００ｂには星形等の図形が現れない。したがって、不正行為者が遊技機用基板ケース１００ａを視認した場合でも、第１、第２シール２００ａ、２００ｂに形成されたホログラム２０１を認識できない場合もあり、不正行為者が正規の遊技機用基板ケース１００ａの全ての構成を把握することは困難である。そのため、不正行為者が遊技機用基板ケース１００ａを偽造しようとしても、ホログラム２０１を再現することができず、正規の遊技機用基板ケース１００ａと同じ構成のものを偽造することは困難である。
【００６４】
ここで、貼り付けられる前の第１、第２シール２００ａ、２００ｂには、剥離層２０２（図１４を参照）が積層されている。第１、第２シール２００ａ、２００ｂを基板ケース本体１００に貼り付ける際には、剥離層２０２は取り除かれる。具体的には、図１４に示すように、貼り付けられる前のシール２１０は、印刷層２０３及び貼付層２０４により構成される第１、第２シール２００ａ、２００ｂに、剥離層２０２が積層された構成である。つまり、貼り付けられる前のシール２１０は、上から順に剥離層２０２、印刷層２０３及び貼付層２０４の三層構造である。なお、剥離層２０２はシール２１０を基板ケース本体１００に貼り付けた後には取り除くものであり、貼り付ける前の印刷層２０３を保護する働きがある。特に、後述するように、シール２１０は、加熱ローラによって加熱されながら粗面部１３０及び貼付け部１３６に押しつけられることにより粗面部１３０及び貼付け部１３６に熱固着される。剥離層２０２には、この際に、加熱ローラにより印刷層２０３に傷がつかないように保護する働きがある。そして、シール２１０が粗面部１３０及び貼付け部１３６に熱固着されて貼り付けられた後に、剥離層２０２は取り除かれる。
【００６５】
印刷層２０３は貼り付けられた後は、表面となる層であり、ホログラム２０１が形成されるように加工されている。また、貼付層２０４は粗面部１３０に貼り付けられる層であり、熱可塑性を有する材料により構成される。加熱により柔らかくなった貼付層２０４が粗面部１３０の凹部１３３に入り込んで、その後固まることにより、接着面積が比較的広くなり、第１シール２００ａが粗面部１３０に強固に貼り付くこととなる。なお、貼付け部１３６は平滑な面であり凹凸形状を有さないことから、貼付層２０４が凹部に入り込むことはないが、加熱により柔らかくなった貼付層２０４がその後固まることにより、貼付け部１３６に第２シール２００ｂが強固に貼り付くこととなる。
【００６６】
ここで、剥離層２０２は、最終的には取り除くものであり、容易に取り除けるように、例えばアクリル系粘着剤が塗布されている樹脂シートとすればよい。また、印刷層２０３は、透過性を有する透明の材料により構成されることとすればよい。また、印刷層２０３にはホログラム２０１が形成されている。また、貼付層２０４は、剥離層２０２及び印刷層２０３よりも融点が低く、かつ、透過性を有する透明の材料により構成されることとすればよい。印刷層２０３及び貼付層２０４が透過性を有することにより、遊技機用基板ケース１００ａを見ただけでは、第１シール２００ａ及び第２シール２００ｂが基板ケース本体１００に貼り付けられていることを認識しにくく、遊技機用基板ケース１００ａを偽造することが困難である。なお、ホログラム２０１も透過性を有することが好ましい。
【００６７】
貼付層２０４としては、例えば、ポリエチレン、ポリスチレン、ＰＥＴ（ポリエチレンテレフタラート）樹脂等の光透過性の材料により構成されることが好ましい。なお、貼付層２０４を構成する材料の融点は、剥離層２０２、印刷層２０３及び基板ケース本体１００を構成する各材料の融点に比べて低い値である。具体的には、貼付層２０４、剥離層２０２、印刷層２０３及び基板ケース本体１００（粗面部１３０、貼付け部１３６）を加熱した場合に、貼付層２０４が最も低い温度で溶解する。これにより、第１、第２シール２００ａ、２００ｂを基板ケース本体１００に熱固着により貼り付ける作業の際に、貼付層２０４のみが溶解する一方、その他の材料が硬いままである温度で第１、第２シール２００ａ、２００ｂを加熱することが可能である。このように加熱しながら、加圧することにより、貼付層２０４が粗面部１３０の凹部１３３に充填されることとなる。また、貼付層２０４は貼付け部１３６との間に空間等が生じることなく、貼付層２０４の全面が貼付け部１３６に密着することとなる。なお、溶解するとは、貼付層２０４が軟化して柔らかくなることをいい、液状等の流動性を有する状態となることも含む。
【００６８】
また、後述するが、第１シール２００ａを粗面部１３０に貼り付けた際に、貼付層２０４が凹部１３３に充填されて、かつ、凸部１３４が印刷層２０３に触れないように印刷層２０３と凸部１３４との間に貼付層２０４が介在することとなる。したがって、貼付層２０４の厚さｔａはこのような状態になるのに十分な厚さであればよい。
【００６９】
次に図面を用いて、粗面部１３０に第１シール２００ａが貼り付けられた状態について説明する。
図１５は、本発明の実施形態に係る遊技機用基板ケースにおけるシールが貼り付けられた状態を示す断面図である。
【００７０】
図１５に示すように、粗面部１３０に第１シール２００ａが貼り付けられる際には、貼付層２０４が凹部１３３に充填されて、凹部１３３に空気が入っていないことが好ましい。つまり、粗面部１３０と貼付層２０４との間に空気が介在しないことが好ましい。これにより、貼付層２０４と粗面部１３０との接触面積がより広くなることから、接着強度が高くなる。
【００７１】
また、凸部１３４が印刷層２０３に触れないように印刷層２０３と凸部１３４との間に貼付層２０４が介在していることが好ましい。これにより、印刷層２０３が凸部１３４に当接することにより印刷層２０３が折れる等の不具合が生じることを防止できる。これにより、印刷層２０３にしわや浮きが生じることを防止できる。
【００７２】
ここで、貼付層２０４の屈折率と粗面部１３０の屈折率（基板ケース本体１００を構成する材料の屈折率）とを等しくしておけば、凹部１３３に貼付層２０４が充填されて、粗面部１３０と貼付層２０４との間に空気が入らない状態であれば、粗面部１３０と貼付層２０４との境界で屈折が生じなくなる。一方、粗面部１３０と貼付層２０４との間に空気が入っている場合は、粗面部１３０の屈折率と空気の屈折率が異なることから、粗面部１３０と空気との境界で屈折生じる。このため、凹部１３３に貼付層２０４が充填されて、粗面部１３０と貼付層２０４との間に空気が入っていない状態と、粗面部１３０と貼付層２０４との間に空気が入っている状態とでは、見え方が異なることとなる。つまり、これらの状態の違いを、目視により容易に判断することができる。
【００７３】
また、印刷層２０３も貼付層２０４と同じ屈折率とすることにより、凹部１３３に貼付層２０４が充填されると、粗面部１３０において第１シール２００ａが貼り付けられた箇所は透明に見えることとなる。これにより、粗面部１３０において第１シール２００ａが貼り付けられた箇所と、粗面部１３０において第１シール２００ａが貼り付けられていない箇所とは、明確に見え方が異なる。また、粗面部１３０において凹部１３３に十分に貼付層２０４が充填されていない箇所があると、その箇所について明確に他の箇所と見え方が異なる。したがって、粗面部１３０に第１シール２００ａが好ましい状態で貼り付けられているか否かを目視により、容易に判断することができる。
【００７４】
また、空気の屈折率の関係で、各凹部１３３における空気の入る量や入り方に応じて光の進行がばらつくこととなり、粗面部１３０に貼り付けられた第１シール２００ａを見た場合に見え方が一様ではなく、部分的に暗く見える部分や縞が見える等の現象が生じる可能性もある。したがって、第１シール２００ａを目視することにより、貼付層２０４が凹部１３３に充填されて、好ましい状態であるか否かを容易に確認することができる。
【００７５】
なお、貼付層２０４が凹部１３３に完全に充填されて凹部１３３に空気がまったく介在しない状態が最も好ましいが、この状態に限定されるわけではない。凹部１３３に多少は空気が入っていてもよいが、粗面部１３０と貼付層２０４の接触面積がより広い方が好ましい。粗面部１３０に第１シール２００ａを貼り付けた後に、第１シール２００ａを目視することにより、凹部に介在する空気の量についてもおおよそは予測ができることから、好ましい態様であるか否かを容易に確認することができる。
【００７６】
上述したように、粗面部１３０に第１シール２００ａが貼り付けられる際には、貼付層２０４が凹部１３３に充填されて、かつ、凸部１３４が印刷層２０３に触れないように印刷層２０３と凸部１３４との間に貼付層２０４が介在していることが好ましい。したがって、貼付層２０４の量は、凹部１３３の容積よりも多い量とすることが好ましく、貼付層２０４の量は凹部１３３の容積に応じて決定すればよい。また、貼付層２０４の好ましい量に応じて、貼付層２０４の厚さｔａを決定すればよい。
【００７７】
なお、貼付層２０４を凹部１３３に充填するには、後述するように、加熱ローラ等を用いて第１シール２００ａを加熱することで貼付層２０４を溶解させて、さらに凹部１３３へと加圧する。この際に、貼付層２０４の厚さｔａが大きすぎると貼付層２０４全体を十分に加熱することが困難となることから、貼付層２０４の溶解の度合いが不十分となり、凹部１３３に貼付層２０４が充填されにくくなる。また、貼付層２０４の厚さｔａが小さすぎると、凹部１３３に貼付層２０４が十分に満たされないだけでなく、第１シール２００ａが波打つような状態で粗面部１３０に貼り付けられる場合もある。そこで、このような不具合が生じないように、貼付層２０４の厚さｔａを決定することが好ましい。例えば、貼付層２０４の厚さｔａは、粗面部１３０における凸部１３４の高さｈｒよりも大きくすることが好ましく、粗面部１３０における凸部１３４の高さｈｒを１μｍとすれば（図１２を参照）、貼付層２０４の厚さｔａは１μｍよりも大きい値とすることが好ましく、例えば１．５μｍとすればよい。
【００７８】
次に、図面を用いて、第１シール２００ａを粗面部１３０に貼り付ける作業について説明する。具体的には、第１シール２００ａを粗面部１３０に熱固着により貼り付けている。
図１６は、本発明の実施形態に係る遊技機用基板ケースにおけるシールの貼り付け作業を説明するための斜視図である。
【００７９】
図１６に示すように、剥離層２０２を含む第１シール２００ａａを境界１３５を跨いで粗面部１３０に貼り付ける作業は、粗面部１３０上に載置された第１シール２００ａａの端部から加熱ローラ４０５により第１シール２００ａａを加熱しながら、粗面部１３０へと加圧することにより行う。このような作業により、第１シール２００ａａの貼付層２０４が加熱されることで柔らかくなり、さらに粗面部１３０へと加圧されることにより、粗面部１３０の凹部１３３に柔らかくなった貼付層２０４が充填されることとなる。そして、加熱ローラ４０５を反対の端部まで転がせることにより、第１シール２００ａの全面において貼付層２０４が凹部１３３に充填されることとなる。その後、冷却することにより、貼付層２０４が凹部１３３に充填された状態で固まる。このようにして、第１シール２００ａが粗面部１３０に貼り付けられる。
【００８０】
ここで、加熱ローラ４０５は、例えば中心部にヒーターを有する円筒状の金属とすればよい。また、加熱ローラ４０５は、貼付層２０４を溶解させることができる温度まで加熱が可能である。なお、加熱ローラ４０５による加熱温度は、貼付層２０４が溶解する温度であり、剥離層２０２、印刷層２０３及び粗面部１３０（基板ケース本体１００）が溶解しない温度とする。加熱ローラ４０５の温度は、剥離層２０２、印刷層２０３、貼付層２０４及び粗面部１３０（基板ケース本体１００）等の材質にもよるが、例えば、１８０℃程度とすればよい。
【００８１】
さらに、図面を用いて、第１シール２００ａを粗面部１３０に貼り付ける作業について工程ごとに説明する。
図１７は、本発明の実施形態に係る遊技機用基板ケースにおけるシールの貼り付け作業を説明するための断面工程図であり、図１７（ａ）は第１工程図であり、図１７（ｂ）は第２工程図であり、図１７（ｃ）は第３工程図であり、図１７（ｄ）は第４工程図である。
【００８２】
図１７は、粗面部１３０及びシール２１０（第１シール２００ａ）の断面図であり、各工程を示したものである。図１７（ａ）に示すように、まず、粗面部１３０上に剥離層２０２がついた状態のシール２１０を載置する。そして、図１７（ｂ）に示すように、加熱ローラ４０５により、シール２１０を加熱しながら粗面部１３０に押しつけるように加圧する。これにより、貼付層２０４が加熱されて柔らかくなり、さらに貼付層２０４が加圧されることにより、凹部１３３に柔らかくなった貼付層２０４が充填されることとなる。そして、シール２１０の全面に亘って加熱ローラ４０５をかけることにより、シール２１０の全面において貼付層２０４が凹部１３３に充填されることとなる。その後、冷却されることにより、貼付層２０４が凹部１３３に充填された状態で固まる。最後に、図１７（ｄ）に示すように、剥離層２０２をシール２１０から取り除く。これにより、第１シール２００ａが粗面部１３０に熱固着により貼り付けられる。
【００８３】
以上の工程により、第１シール２００ａが粗面部１３０に貼り付けられる。このように、粗面部１３０の凹部１３３に貼付層２０４が充填されて固着されることから、強固に接着されることとなる。特に、加熱ローラ４０５によりシール２１０の一端から他端へと向かって、順に加圧していくことにより、凹部１３３への貼付層２０４の充填がスムーズに行われ、凹部１３３に貼付層２０４が十分に満たされることとなる。なお、凹部１３３に貼付層２０４が十分に満たされるのであればよく、加熱ローラ４０５以外のものを用いて、シール２１０を加熱及び加圧することとしてもよい。
【００８４】
また、粗面部１３０の凹凸形状は、貼付層２０４と粗面部１３０とが強固に接着されるものであればよく、本実施形態の粗面部１３０における凹凸形状に限定されるわけではなく、これ以外の凹凸形状であってもよい。図面を用いて、粗面部１３０の他の実施形態について説明する。
【００８５】
図１８は、本発明の他の実施形態に係る遊技機用基板ケースにおける粗面部の形状を説明するための断面図であり、図１８（ａ）〜図１８（ｄ）は各実施形態を示す断面図である。
【００８６】
例えば、図１８（ａ）に示すように、粗面部１３０ａの凹凸形状は、断面において先が山型に尖っているのではなく、差異が平らになった凸部及び凹部が並んでいる形状でもよい。これにより、先がとがったものに比べて貼付層２０４と粗面部１３０との接触面積が広くすることが可能であり、より強固な接着が可能となる。
【００８７】
また、例えば、図１８（ｂ）に示すように、粗面部１３０ｂの凹凸形状は、断面において山型ではあるが、何れかの方向に傾いたようにしてもよい。このような形状にすることにより、凹部に貼付層２０４が充填されて固着されると、第１シール２００ａを剥がそうとしても貼付け層２０４が凸部に引っ掛かることとなるため、より強固な接着が可能となる。
【００８８】
また、例えば、図１８（ｃ）に示すように、粗面部１３０ｃの凹凸形状は、断面において凸部が突出方向に向かうにしたがい広がる形状である。一方、断面において凹部が粗面部１３０ｃ側に進むにしたがい広がる形状である。このような形状にすることにより、凹部に貼付層２０４が充填されて固着されると、第１シール２００ａを剥がそうとしても貼付層２０４が凸部に引っ掛かることとなるため、より強固な接着が可能となる。
【００８９】
また、例えば、図１８（ｄ）に示すように、粗面部１３０ｄの凹凸形状は、断面において不規則な凸部及び凹部が形成されているものでもよい。このような形状であることから、粗面部１３０の作製が容易であるとの効果を奏する。
【００９０】
このように、粗面部１３０ａ〜１３０ｄについて説明したが、これら以外の凹凸形状であってもかまわない。例えば、凹凸形状は断面において矩形であることとしてもよい。また、凹部及び凸部がそれぞれ線状に所定方向に平行に並んで配置されているのではなく、不規則に配置されていることとしてもよい。
【００９１】
また、以上の説明においては、第１シール２００ａの貼付層２０４が加熱により溶解されて、粗面部１３０の凹凸形状の凹部１３３に貼付層２０４が充填されて固まることとしたが、貼付層２０４が溶解される際に、粗面部１３０も加熱により溶解されることとしてもよい。具体的には、加熱ローラ４０５の加熱温度を高くして、粗面部１３０も溶解されるようにすればよい。また、加熱ローラ４０５の加熱温度を高くせずに、粗面部１３０を形成する基板ケース本体１００を構成する材料として、融点が貼付層２０４の融点以下である材料を用いることとしてもよい。このように、貼付層２０４だけでなく粗面部１３０も溶解することから、凹部１３３への貼付層２０４の充填が容易に行われることとなる。そして、粗面部１３０においてシール２００が貼り付けられた箇所と、貼り付けられていない箇所との区別を、視覚により明確に認識することができる。なお、粗面部１３０ａ〜１３０ｄについても同様に、貼付層２０４が溶解される際に、溶解されることとしてもよい。
【００９２】
次に、第２シール２００ｂが基板ケース本体１００に貼り付けられている状態について説明する。
図１９は、本発明の実施形態に係る遊技機用基板ケースの第２シール付近の構成を示す拡大正面図である。
【００９３】
第２シール２００ｂを貼付け部１３６に貼り付ける作業は、上述した、第１シール２００ａを粗面部１３０に貼り付ける作業と同様にして行えばよい。これにより、第２シール２００ｂは貼付け部１３６に強固に貼り付けられることとなる。なお、上述したように、貼付け部１３６は平滑な面であり、この平滑な面に第２シール２００ｂが貼り付けられる。具体的には、加熱により溶解された貼付層２０４が貼付け部１３６に押しつけられた後に、冷却されることにより貼付層２０４が固まることにより、第２シール２００ｂが貼付け部１３６に貼り付けられることとなる。これにより、第２シール２００ｂは貼付け部１３６に強固に貼り付けられる。
【００９４】
以上、説明したように、本実施形態に係る遊技機用基板ケース１００ａによれば、基板ケース本体１００の粗面部１３０に形成された凹部１３３及び凸部１３４による凹凸形状に第１シール２００ａの貼付層２０４が充填されて固まっていることから、第１シール２００ａ及び基板ケース本体１００のいずれも破損させずに第１シール２００ａを剥がすことは略不可能であるといえる。したがって、電子基板３００に搭載されたＲＯＭ又は電子基板３００を差し替えるために、基板ケース本体１００から第１シール２００ａを剥がして基板ケース本体１００を開ける不正行為が行われた場合は、その痕跡が確実に残ることとなり、不正行為が行われたことを容易に発見することができる。なお、痕跡を残さずに不正行為を行うことは略不可能である。また、このように不正行為を行った痕跡が残ることから、不正行為が行われたことをすぐに見つけることができる。そのため、不正行為者は不正行為を行う意味がなくなることとなり、不正行為を抑制することにもなる。同様に、遊技機用基板ケース１００ａを搭載した回動式遊技機１０についても、不正行為が行われたことを容易に認識でき、さらに不正行為を抑制することができる。
【００９５】
また、本実施形態に係る遊技機用基板ケース１００ａによれば、第２シール２００ｂの貼付層２０４が貼付け部１３６に固まって、第２シール２００ｂが貼付け部１３６に貼り付けられていることから、第２シール２００ｂ及び基板ケース本体１００のいずれも破損させずに第２シール２００ｂを剥がすことは困難であるといえる。したがって、基板ケース本体１００から第２シール２００ｂを剥がして、偽造された遊技機用基板ケースに貼り付けることにより、遊技機用基板ケース１００ａを偽造するといった不正行為を抑制することができる。
【００９６】
また、このような遊技機用基板ケース１００ａを有する回動式遊技機１０によれば、不正行為が行われた場合にそれを容易に発見することができ、不正行為の実施を抑制することができる。
【００９７】
次に、基板ケース本体１００において、第１シール２００ａ及び第２シール２００ｂが貼り付けられている位置について説明する。つまり、粗面部１３０及び貼付け部１３６が配置されている位置について説明する。
図２０は、本発明の実施形態に係る筐体本体内における遊技機用基板ケースの配置を示す拡大正面図である。なお、図２０は、前扉１０ｂを開けた状態である。
【００９８】
上述したように、遊技機用基板ケース１００ａは、筺体本体１０ａにおいて、天板１０ａ１に接近した位置に設置されている。このため、図２０に示すように、遊技機用基板ケース１００ａの上側の部分である天板近傍領域（照射困難位置）１０３は、筺体本体１０ａの外側からの光が天板１０ａ１により遮られることから、筺体本体１０ａの外側からの光が照射困難である。これに対して、遊技機用基板ケース１００ａにおいて天板近傍領域１０３より下側の位置である天板離間領域１０４は、天板１０ａ１から離間しており、筺体本体１０ａの外側からの光が天板１０ａ１により遮られにくく、筺体本体１０ａの外側からの光が照射容易である。つまり、図２０に示すように、天板近傍領域１０３は、遊技機用基板ケース１００ａの上下方向における中心線（遊技機用基板ケース１００ａを上下に略半分に分ける線）よりも上側の領域であり、天板離間領域１０４は、遊技機用基板ケース１００ａの上下方向における中心線よりも下側の領域である。このように、天板近傍領域１０３は、遊技機用基板ケース１００ａの上半分の領域なので、天板離間領域１０４に比べて天板１０ａ１の近くに配置されており、筺体本体１０ａの外側からの光が天板１０ａ１により遮られることから、筺体本体１０ａの外側からの光が照射されにくい。また、天板離間領域１０４は、遊技機用基板ケース１００ａの下半分の領域なので、天板近傍領域１０３に比べて天板１０ａ１から遠くに配置されており、筺体本体１０ａの外側からの光が天板１０ａ１により遮られにくく、筺体本体１０ａの外側からの光が照射される。
【００９９】
また、図２０に示すように、遊技機用基板ケース１００ａの前扉１０ｂ側の部分である前扉近傍領域１０５は、筺体本体１０ａの外側からの光が前扉１０ｂにより遮られることから、筺体本体１０ａの外側からの光が照射されにくい。これに対して、遊技機用基板ケース１００ａにおいて前扉近傍領域１０５より、前扉１０ｂから離間する位置である前扉離間領域１０６は、前扉１０ｂから離間しており、筺体本体１０ａの外側からの光が前扉１０ｂにより遮られにくく、筺体本体１０ａの外側からの光が照射される。つまり、前扉近傍領域１０５は、遊技機用基板ケース１００ａの左右方向における中心線（遊技機用基板ケース１００ａを左右に略半分に分ける線）よりも左側の領域であり、前扉離間領域１０６は、遊技機用基板ケース１００ａの左右方向における中心線よりも右側の領域である。このように、前扉近傍領域１０５は、遊技機用基板ケース１００ａの左半分の領域なので、前扉離間領域１０６に比べて前扉１０ｂの近くに配置されており、筺体本体１０ａの外側からの光が前扉１０ｂにより遮られることから、筺体本体１０ａの外側からの光が照射されにくい。また、前扉離間領域１０６は、遊技機用基板ケース１００ａの右半分の領域なので、前扉近傍領域１０５に比べて前扉１０ｂから遠くに配置されており、筺体本体１０ａの外側からの光が前扉１０ｂにより遮られにくく、筺体本体１０ａの外側からの光が照射される。
【０１００】
ここで、図２０に示すように、遊技機用基板ケース１００ａにおいて、天板近傍領域１０３であって、かつ、前扉近傍領域１０５である領域（以下、第１領域という）は、特に筺体本体１０ａの外側からの光が照射されにくい領域であり、この領域に粗面部１３０が配置されており、ホログラム２０１が形成された第１シール２００ａが形成されている。また、天板離間領域１０４であって、かつ、前扉離間領域１０６である領域（以下、第２領域という）は、特に筺体本体１０ａの外側からの光が照射されやすい領域であり、この領域に貼付け部１３６が配置されており、ホログラム２０１が形成された第２シール２００ｂが形成されている。なお、前扉１０ｂを開けた状態で、筺体本体１０ａを正面から見た場合に、第１シール２００ａ及び第２シール２００ｂはいずれも視認可能な位置に配置されている。
【０１０１】
このため、前扉１０ｂが開いた状態において、第１シール２００ａには光が照射されにくいのに対して、第２シール２００ｂには十分に光が照射される。したがって、第１シール２００ａにおけるホログラム２０１は視認困難であるが、これに対して、第２シール２００ｂにおけるホログラム２０１は視認可能である。つまり、第１シール２００ａにおけるホログラム２０１に比べて、第２シール２００ｂにおけるホログラム２０１は視認容易である。なお、例えば、懐中電灯等の携帯用照明器具を用いて、第１シール２００ａ（ホログラム２０１）に、直接、光を照射すれば、第１シール２００ａにおいてもホログラム２０１が視認可能となる。
【０１０２】
ここで、回胴式遊技機１０の遊技中に不具合が発生した場合には、遊技者は遊技店の従業員である作業者を呼び、この作業者が回胴式遊技機１０を検査して不具合の原因を特定して、この原因を取り除くことが一般的に行われている。このような場合に、作業者は回胴式遊技機１０の前扉１０ｂを開けて、筺体本体１０ａ内についても検査する場合がある。このとき、筺体本体１０ａ内の構成について作業者以外にも認識される可能性がある。例えば、このような場合に、不正行為者は、遊技機用基板ケース１００ａの構成を確認し、この遊技機用基板ケース１００ａと同じような遊技機用基板ケースを偽造しようとする場合がある。このようにして偽造した遊技機用基板ケース内に偽造されたＲＯＭを搭載して、正規の遊技機用基板ケース１００ａと取り替えるといった不正行為が行われる場合がある。
【０１０３】
しかし、本実施形態に係る回胴式遊技機１０によれば、作業者が前扉１０ｂを開けて筺体本体１０ａ内についても検査する場合であっても、上述したように、第１シール２００ａには外光が照射されにくく、第１シール２００ａに形成されているホログラム２０１を視認することは困難である。このため、不正行為者が、このような検査の際に遊技機用基板ケース１００ａを視認したとしても、ホログラム２０１が形成されていることについては認識することが困難である。特に、第１シール２００ａが透過性を有していることから、第１シール２００ａが貼り付けられていることすら気づくことは困難であるといえる。これにより、不正行為者が正規の遊技機用基板ケース１００ａと同じ構成の遊技機用基板ケースを偽造することは困難である。そのため、仮に、正規の遊技機用基板ケース１００ａが偽造されたものに取り替えられたとしても、作業者は容易に偽造された遊技機用基板ケースであることを発見することができる。つまり、不正行為が行われたことを容易に発見でき、不正行為を抑制することができる。
【０１０４】
なお、上述したように、作業者が筺体本体１０ａ内についても検査する際に、第２シール２００ｂには外光が照射されやすいため、不正行為者は第２シール２００ｂにホログラム２０１が形成されていることに気づきやすい。しかし、第１シール２００ａにおけるホログラム２０１については気づくことが困難であることから、正規の遊技機用基板ケース１００ａと同じ構成の遊技機用基板ケースを偽造することは困難である。さらに、不正行為者は、第２シール２００ｂのホログラム２０１に気づきやすいことから、このホログラム２０１に気を取られることとなるため、第１シール２００ａのホログラム２０１については特に気づきにくいとの効果も奏する。つまり、第２シール２００ｂのホログラム２０１に注意を向けさせることで、不正行為者が第１シール２００ａのホログラム２０１に気づくことは、より困難である。
【０１０５】
このように、遊技機用基板ケース１００ａにおいて筺体本体１０ａの外側からの光が照射されにくい第１領域及び筺体本体１０ａの外側からの光が照射されやすい第２領域の両方にそれぞれ、第１シール２００ａ及び第２シール２００ｂを形成することが好ましい。つまり、筺体本体１０ａの外側からの光の照射されやすさの程度が異なる領域のそれぞれに第１シール２００ａ及び第２シール２００ｂを形成することが好ましい。また、これら第１領域及び第２領域と比較して、天板近傍領域１０３であって、かつ、前扉離間領域１０６である領域（以下、第３領域という）や、天板離間領域１０４であって、かつ、前扉近傍領域１０５である領域（以下、第４領域という）は、筺体本体１０ａの外側からの光の照射されやすさの程度が異なる。つまり、第３領域及び第４領域は、第１領域よりも筺体本体１０ａの外側からの光が照射されやすく、第２領域よりも筺体本体１０ａの外側からの光が照射されにくい。したがって、第１領域と、第３領域又は第４領域とのそれぞれに第１シール２００ａ及び第２シール２００ｂを形成してもよいし、第２領域と、第３領域又は第４領域とのそれぞれに第１シール２００ａ及び第２シール２００ｂを形成してもよい。これにより、第１シール２００ａ及び第２シール２００ｂのそれぞれにおけるホログラム２０１の視認しやすさが異なり、不正行為者は視認しにくいホログラム２０１に気づきにくく、認識することが困難である。なお、天板近傍領域１０３である第３領域の方が、天板離間領域１０４である第４領域よりも筺体本体１０ａの外側からの光が照射されにくい。
【０１０６】
上述したように、第１シール２００ａのホログラム２０１は認識しにくいことから、不正行為の抑制につながる。しかし、作業者が、遊技機用基板ケース１００ａが偽造されたものでないかの判断を行う場合には、上述したように、携帯用照明器具を用いて、直接、光を照射する等の作業が必要となり、手間が生じることとなる。ここで、第１シール２００ａ及びホログラム２０１について透過性を有することとすれば、このような手間を省くことができる。具体的には、電子基板３００に設置されたモニタＬＥＤ３０２を用いることにより、携帯用照明器具を用いずに、第１シール２００ａのホログラム２０１を確認することができる。
【０１０７】
図２１は、本発明の実施形態に係る遊技機用基板ケースの第１シールとモニタＬＥＤとの配置を示す拡大正面図である。図２１を参照して、モニタＬＥＤ３０２を用いることにより、携帯用照明器具を用いずに、第１シール２００ａのホログラム２０１を確認する方法について説明する。
【０１０８】
まず、モニタＬＥＤ３０２について説明する。モニタＬＥＤ３０２は複数のＬＥＤから構成されており、これらが点灯することにより、回胴式遊技機１０のスイッチ（ボタン）やセンサー等の動作状態を示す。ここで、図２１に示すように、モニタＬＥＤ３０２は、第１シール２００ａ側から３列で構成されており、列ごとに上から下に向かって複数のＬＥＤが配置されている。つまり、モニタＬＥＤ３０２は、図２１における左側から右側に向かって、３列で構成されている。そして、列ごとに複数のＬＥＤが設けられている。また、各ＬＥＤの左側には符号が付されている。具体的には、最も第１シール２００ａに近い列である一番左側の列（左端の列）は、上から「Ａ」、「Ｂ」、「Ｃ」、「Ｄ」、「Ｅ」、「Ｆ」、「Ｇ」、「Ｈ」の符号がそれぞれ付された８個のＬＥＤが設置されている。また、この列から一つ右の列（真ん中の列）は、上から「Ｉ」、「Ｊ」、「Ｋ」、「Ｌ」、「Ｍ」、「Ｎ」、「Ｏ」、「Ｐ」の符号がそれぞれ付された８個のＬＥＤが設置されている。また、さらに右の列（右端の列）は、上から「Ｑ」、「Ｒ」、「Ｓ」、「Ｔ」、「Ｕ」の符号がそれぞれ付された５個のＬＥＤが設置されている。
【０１０９】
これらのＬＥＤはそれぞれ異なる部材の動作状態を示すものである、「Ａ」は精算ボタン（図示せず）、「Ｂ」は設定変更スイッチ（図示せず）、「Ｃ」はオーバーフローセンサー（図示せず）、「Ｄ」は解除センサー（図示せず）、「Ｅ」はマックスベットボタン１８、「Ｆ」はストップボタン２１、「Ｇ」はストップボタン２２、「Ｈ」はストップボタン２３、「Ｉ」は投入ボタン（図示せず）、「Ｊ」はドア開閉センサー（図示せず）、「Ｋ」は設定キースイッチ（図示せず）「Ｌ」自動解除スイッチ（図示せず）、「Ｍ」はスタートレバー２０、「Ｎ」はリールセンサー（左）（図示せず）、「Ｏ」はリールセンサー（中）（図示せず）、「Ｐ」はリールセンサー（右）（図示せず）、「Ｑ」は払出しカウントセンサーＡ（図示せず）、「Ｒ」は払出しカウントセンサーＢ（図示せず）、「Ｓ」はセレクターセンサーＡ（図示せず）、「Ｔ」はセレクターセンサーＢ（図示せず）、「Ｕ」はセレクターセンサーＣ（図示せず）に、それぞれ対応するＬＥＤである。例えば、スイッチ等については操作がなされた場合に対応するＬＥＤが点灯することとし、操作されていない状態ではＬＥＤは消灯していることとすればよい。また、センサー等については検知を行った場合に対応するＬＥＤが点灯することとし、検知がなされてない状態ではＬＥＤは消灯していることとすればよい。例えば、マックスベットボタン１８を操作した場合は「Ｅ」のＬＥＤが点灯し、マックスベットボタン１８の操作を停止した場合は「Ｅ」のＬＥＤが消灯する。
【０１１０】
このような構成を有しているモニタＬＥＤ３０２は、筺体本体１０ａを正面から見た場合に、第１シール２００ａよりも奥側に配置される。つまり、第１シール２００ａはモニタＬＥＤ３０２よりも手前側に配置される。また、第１シール２００ａはモニタＬＥＤ３０２の近傍に配置されている。このモニタＬＥＤ３０２を用いて、遊技機用基板ケース１００ａが偽造されたものであるか否かの判断を行う場合には、作業者は、モニタＬＥＤ３０２が点灯させればよい。つまり、モニタＬＥＤ３０２により動作状態が示されるスイッチ等を操作すればよい。これにより、モニタＬＥＤ３０２が点灯してその光が基板ケース本体１００（カバー部１２０）を透過して第１シール２００ａの裏面側から第１シール２００ａ及びホログラム２０１を透過して、ホログラム２０１に光が照射される。これにより、携帯用照明器具を用いずに、第１シール２００ａにおけるホログラム２０１が視認できるようになる。なお、携帯用照明器具を用いてホログラム２０１を視認可能とするためには、作業者が筺体本体１０ａ内に頭部をつっこんで無理な体勢で作業を行わなければならないが、このような作業を行わなくてもよい。
【０１１１】
なお、作業者が、遊技機用基板ケース１００ａが偽造されたものでないか判断する作業は、遊技者により遊技が行われていないときに行われる。また、前扉１０ｂが開けられた状態で行われる。したがって、モニタＬＥＤ３０２のうち、前扉１０ｂが開けられた状態で作業者が操作できるスイッチ等に対応するＬＥＤを点灯させることとなる。例えば、前扉１０ｂに設置されていて、普段は遊技者により操作される操作手段を操作して、作業を行えばよい。例えば、マックスベットボタン１８、スタートレバー２０、及びストップボタン２１、２２、２３等の操作手段を操作することでモニタＬＥＤ３０２のＬＥＤを点灯させればよい。なお、これらを操作することにより、「Ｅ」、「Ｍ」、「Ｆ」、「Ｇ」、「Ｈ」に対応するＬＥＤが点灯する。
【０１１２】
作業者は、マックスベットボタン１８、スタートレバー２０、及びストップボタン２１、２２、２３の少なくとも１つを操作することにより、第１シール２００ａの裏面側から光を照射してホログラム２０１を視認可能とし、第１シール２００ａが偽造されたものでないかを確認できる。これにより、遊技機用基板ケース１００ａが偽造されたものか否かを容易に判定できる。また、前扉１０ｂは、筺体本体１０ａに対して蝶番等により連結され、開閉可能であることから、作業者は操作手段に対して操作を行いやすい位置に前扉１０ｂを回動させて、作業を行えばよい。
【０１１３】
また、モニタＬＥＤ３０２において、上記以外の構成としてもよく、例えば、スイッチ等については、操作されていない状態で対応するＬＥＤが点灯しており、操作された場合にＬＥＤが消灯することとしてもよい。また、センサー等については検知がなされてない状態で対応するＬＥＤが点灯しており、検知がなされた場合にＬＥＤが消灯することとしてもよい。なお、この場合は、スイッチ等の操作手段を操作しなくても、第１シール２００ａの裏面側から光が照射されてホログラム２０１を視認可能である。
【０１１４】
ここで、上述したように、第１シール２００ａは粗面部１３０上に形成されている。第１シール２００ａ及び第１シール２００ａに形成されたホログラム２０１が、透過性である場合は、第１シール２００ａに光を照射した際に、ホログラム２０１が視認可能となる。また、凹凸形状を有する粗面部１３０に光が照射された場合は、平滑な面に光が照射された場合とは異なる見え方となる。つまり、光が粗面部１３０を透過する場合と、平滑な面を透過する場合とでは、透過した光の状態が互いに異なることとなる。このような粗面部１３０上に第１シール２００ａが形成されていることから、第１シール２００ａに光を照射した際の見え方は、平滑な面に形成されている第１シール２００ａに光を照射した際の見え方とは異なることとなる。例えば、第１シール２００ａを視認した場合に、粗面部１３０以外の平滑な面に第１シール２００ａが形成されていれば生じることはないような像が視認されることとなる。なお、このような像は、第１シール２００ａが粗面部１３０以外の平滑な面に形成されていれば生じることはなく、視認されることはない。ここで、第１シール２００ａが粗面部１３０上に形成されていることについては、作業者により行われる筺体本体１０ａ内の検査における前扉１０ｂの開放の際に、不正行為者が認識することは困難である。そのため、正規の遊技機用基板ケース１００ａと同じ構造の遊技機用基板ケースを偽造することは困難であり、偽造された遊技機用基板ケースは、作業者により容易に発見できる。このため、遊技機用基板ケース１００ａを偽造されたものに取り替えるとの不正行為を容易に発見することができる。
【０１１５】
（他の実施形態）
以上、本実施形態に係る回胴式遊技機１０について説明したが、上記以外の構成であってもよい。例えば、基板ケース本体１００において、第１シール２００ａ及び第２シール２００ｂ以外に、第３シール（目印部）２００ｃ及び第４シール２００ｄが基板ケース本体１００に貼り付けられた構成としてもよい。このような構成について、図面を参照して説明する。
【０１１６】
図２２は、本発明の他の実施形態に係る遊技機用基板ケースの外観構成を示す斜視図である。図２３は、本発明の他の実施形態に係る遊技機用基板ケースの第３シールとモニタＬＥＤとの配置位置を示す拡大正面図である。図２４は、本発明の他の実施形態に係る遊技機用基板ケースの第４シールと役比モニタとの配置位置を示す拡大正面図である。
【０１１７】
図２２に示すように、遊技機用基板ケース１００ａは、第３シール２００ｃ及び第４シール２００ｄを有している。具体的には、基板ケース本体１００には、第１シール２００ａ及び第２シール２００ｂ以外に、第３シール２００ｃ及び第４シール２００ｄが貼り付けられている。なお、詳細は後述するが、第３シール２００ｃは、筺体本体１０ａを正面から見た場合に、モニタＬＥＤ３０２と重複する位置に配置されるように基板ケース本体１００（カバー部１２０）に貼り付けられている。また、第４シール２００ｄは、筺体本体１０ａを正面から見た場合に、電子基板３００に設置されている役比モニタ３０３と重複する位置に配置されるように基板ケース本体１００（カバー部１２０）に貼り付けられている。
【０１１８】
第３シール２００ｃ及び第４シール２００ｄの構成は、第１シール２００ａ及び第２シール２００ｂと同様であり、第３シール２００ｃ及び第４シール２００ｄにも、それぞれホログラム２０１が形成されている。なお、第３シール２００ｃ及び第４シール２００ｄは透過性を有しており、形成されているホログラム２０１も透過性を有している。また、第３シール２００ｃ及び第４シール２００ｄは、貼り付ける前は、剥離層２０２、印刷層２０３及び貼付層２０４を有し（図４を参照）、基板ケース本体１００（カバー部１２０）に熱固着された後に剥離層２０２が取り除かれることで貼り付けられる。これにより、第３シール２００ｃ及び第４シール２００ｄは、基板ケース本体１００（カバー部１２０）に、より強固に貼り付けられている。
【０１１９】
図２３に示すように、第３シール２００ｃは、筺体本体１０ａを正面から見た場合に、モニタＬＥＤ３０２と重複する部分を有するように、基板ケース本体１００（カバー部１２０）に貼り付けられている。また、筺体本体１０ａを正面から見た場合に、第３シール２００ｃがモニタＬＥＤ３０２よりも手前側に配置される。このような構成であることから、作業者は、前扉１０ｂを開いて遊技機用基板ケース１００ａが偽造されたものでないかの判断を行う場合に、上述したように、モニタＬＥＤ３０２が点灯するように操作すればよい。これにより、モニタＬＥＤ３０２が点灯してその光が基板ケース本体１００（カバー部１２０）を透過して第３シール２００ｃの裏面側から第３シール２００ｃ及びホログラム２０１を透過して、ホログラム２０１に光が照射される。これにより、第３シール２００ｃにおけるホログラム２０１が視認できるようになる。特に、第３シール２００ｃは、第１領域に配置されていることから、筺体本体１０ａの外側からの光が照射されにくいが、携帯用照明器具を用いることなく、第３シール２００ｃのホログラム２０１を確認することができる。これにより、作業者が筺体本体１０ａ内に頭部をつっこんで無理な体勢で作業を行わなくてもよい。
【０１２０】
図２４に示すように、第４シール２００ｄは、筺体本体１０ａを正面から見た場合に、役比モニタ３０３と重複部分を有するように、基板ケース本体１００（カバー部１２０）に貼り付けられる。また、筺体本体１０ａを正面から見た場合に、第４シール２００ｄが役比モニタ３０３よりも手前側に配置される。なお、役比モニタ３０３は、回胴式遊技機１０の電源を投入することにより点灯することとなるため、作業者が操作等を行うことなく、役比モニタ３０３から光が照射される。役比モニタ３０３からの光は、基板ケース本体１００（カバー部１２０）を透過して第４シール２００ｄの裏面側から第４シール２００ｄ及びホログラム２０１を透過して、ホログラム２０１に光が照射される。これにより、第４シール２００ｄにおけるホログラム２０１が視認できるようになる。これにより、作業者は、前扉１０ｂを開いて遊技機用基板ケース１００ａが偽造されたものでないかの判断を容易に行うことができる。なお、第４シール２００ｄは、第２領域に配置されていることから、筺体本体１０ａの外側からの光が照射されやすいが、携帯用照明器具を用いることなく、確実に第４シール２００ｄのホログラム２０１を確認することができる。これにより、作業者が筺体本体１０ａ内に頭部をつっこんで無理な体勢で作業を行わなくてもよい。
【０１２１】
なお、第３シール２００ｃ及び第４シール２００ｄを、モニタＬＥＤ３０２及び役比モニタ３０３と重複するような配置としたが、第３シール２００ｃ及び第４シール２００ｄが、モニタＬＥＤ３０２及び役比モニタ３０３の近傍に位置するように基板ケース本体１００（カバー部１２０）に貼り付けられていることとしてもよい。具体的には、モニタＬＥＤ３０２及び役比モニタ３０３からの光が照射される位置に第３シール２００ｃ及び第４シール２００ｄが配置されていればよく、第３シール２００ｃ及び第４シール２００ｄがモニタＬＥＤ３０２及び役比モニタ３０３と重複する部分を有する配置でなくても、モニタＬＥＤ３０２及び役比モニタ３０３からの光が照射される位置に配置されていればよい。
【０１２２】
また、モニタＬＥＤ３０２及び役比モニタ３０３以外にカバー部１２０側に光を照射するように発光する部材が遊技機用基板ケース１００ａ内に設置されているのであれば、その部材と重複する、あるいは、近傍に位置するように第３シール２００ｃ及び第４シール２００ｄを配置することとしてもよい。このように、モニタＬＥＤ３０２及び役比モニタ３０３等のように元から設置されている発光する部材を用いて、第３シール２００ｃ及び第４シール２００ｄ等のホログラム２０１を視認可能とすることから、新たに発光する部材を設置する必要がなく、部品点数の増加を抑制することができる。
【０１２３】
第１〜４シール２００ａ〜２００ｄには、上述したように、ホログラム２０１が形成されていることとしたが、照射される光の強弱により視認されるホログラムが変化するタイプのホログラムが形成されていることとしてもよい。これにより、これら第１〜４シール２００ａ〜２００ｄの偽造がより困難となり、遊技機用基板ケース１００ａの偽造も困難であり、不正行為を容易に発見でき、不正行為を抑制することもできる。このような第１〜４シール２００ａ〜２００ｄについて、図を用いて説明する。
【０１２４】
図２５は、本発明の他の実施形態に係る第１シールの視認状態を示す平面図であり、図２５（ａ）は第１視認状態を示す図であり、図２５（ｂ）は第２視認状態を示す図であり、図２５（ｃ）は第３視認状態を示す図である。
【０１２５】
図２５に示すように、第１シール２００ａは、第１〜第３視認状態を有している。まず、第１シール２００ａに光が照射されていない状態では、図２５（ａ）に示すように、第１シール２００ａ上には何も視認できない（第１視認状態）。第１シール２００ａに光を照射すると、図２５（ｂ）に示すように、ホログラム２０１が視認できるようになる（第２視認状態）。さらに、第２視認状態時よりも強い光を第１シール２００ａに照射すると、図２５（ｃ）に示すように、ホログラム２０５が視認できるようになる（第３視認状態）。例えば、一般的な室内の照明に用いられる程度の光が第１シール２００ａに照射された場合は、ホログラム２０１が視認できる第２視認状態となり、第２視認状態において携帯用照明器具等を用いること等により、室内光に加えて、さらに光を第１シール２００ａに照射した場合にホログラム２０５が視認できる第３視認状態となることとすればよい。これにより、不正行為者が第１シール２００ａにおけるホログラム２０１を認識することが困難である上、さらにホログラム２０５を認識することはより困難である。したがって、遊技機用基板ケース１００ａの偽造は困難であり、不正行為を容易に発見でき、不正行為を抑制することもできる。なお、第２〜第４シール２００ｂ〜２００ｄについても第１シール２００ａと同様の構成とすればよい。
【０１２６】
また、第１〜第４シール２００ａ〜２００ｄに形成されるホログラムは、照射される光の有無や、光の照射角度や、照射される光の強弱により、見た目が変化するとの性質を有すればよく、上記以外の構成であってもよい。例えば、第１シール２００ａ（第２〜第４シール２００ｂ〜２００ｄ）に光が照射されていない状態において、図２５（ｃ）に示す第３視認状態であり、第１シール２００ａ（第２〜第４シール２００ｂ〜２００ｄ）に光を照射すると、図２５（ｂ）に示す第２視認状態となり、さらに、第２視認状態時よりも強い光を第１シール２００ａ（第２〜第４シール２００ｂ〜２００ｄ）に照射すると、図２５（ａ）に示す第１視認状態となることとしてもよい。また、ホログラムは照射される光の強弱により色が変化する等、照射される光に応じて見た目が変化するようなものであればよい。
【０１２７】
以上、本発明の実施形態について説明したが、上記以外の構成であってもかまわない。例えば、第１〜４シール２００ａ〜２００ｄは基板ケース本体１００に熱固着によって貼り付けられることとしたが、これ以外の方法により貼り付けられることとしてもよい。例えば、接着剤により第１〜４シール２００ａ〜２００ｄが基板ケース本体１００に貼り付けられることとしてもよい。
【０１２８】
また、第１シール２００ａは粗面部１３０に形成されることとしたが、平滑な面に形成されることとしてもよいし、第２〜第４シール２００ｂ〜２００ｄを貼り付ける個所に粗面部が形成されていることとしてもよい。また、基板ケース本体１００に形成されるシールの数を、さらに増やしてもかまわない。
【０１２９】
また、第１〜第４シール２００ａ〜２００ｄは透過性を有することとしたが、これらのすべてが透過性を有していないこととしてもよい。また、これらのうち少なくとも１つが透過性を有していないこととしてもよい。また、これら第１〜第４シール２００ａ〜２００ｄのそれぞれに形成されたホログラム２０１についても、透過性を有していないこととしてもよい。なお、これら第１〜第４シール２００ａ〜２００ｄのそれぞれが透過性を有している場合に、これらに形成されるホログラム２０１は透過性を有していてもよいし、透過性を有していなくてもよい。また、これら第１〜第４シール２００ａ〜２００ｄのそれぞれが透過性を有していない場合に、これらに形成されるホログラム２０１は透過性を有していてもよいし、透過性を有していなくてもよい。
【０１３０】
本発明は、以上説明した実施形態に限定されるものではなく、他のいろいろな形で実施することができる。そのため、かかる実施形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１３１】
１０      回胴式遊技機                  １０ａ    筺体本体
１０ｂ    前扉                          １０ｃ    遊技機筐体
１８      マックスベットボタン          ２０      スタートレバー
２１      ストップボタン                ２２      ストップボタン
２３      ストップボタン                １００    基板ケース本体
１００ａ  遊技機用基板ケース            １０３    天板近傍領域
２００ａ  第１シール                    ２００ｃ  第３シール
２０１    ホログラム                    ３００    電子基板
３０２    モニタＬＥＤ                  ３０３    役比モニタ
【要約】
【課題】遊技機用基板ケースに対して行われる不正行為の発見を容易にし、不正行為の実施を抑制する遊技機を提供する。
【解決手段】回胴式遊技機１０は、遊技機筐体１０ｃと、遊技機筐体１０ｃ内に設置される遊技機用基板ケース１００ａと、を備え、この遊技機筐体１０ｃは、筺体本体１０ａと、開閉可能な前扉１０ｂと、を有し、遊技機用基板ケース１００ａは、電子基板３００を収容する基板ケース本体１００と、基板ケース本体１００の外側面に形成された第１シール２００ａと、を有し、第１シール２００ａは、前扉１０ｂを開けた状態において視認可能な位置に配置され、第１シール２００ａには、透過性を有するホログラム２０１が形成され、遊技機用基板ケース１００ａは、前扉１０ｂを開けた状態において筺体本体１０ａの外側からの光が照射困難である天板近傍領域１０３を有し、天板近傍領域１０３にホログラム２０１が配置される。
【選択図】図２０【図１】
0006844872.tif 000002
【図２】
0006844872.tif 000003
【図３】
0006844872.tif 000004
【図４】
0006844872.tif 000005
【図５】
0006844872.tif 000006
【図６】
0006844872.tif 000007
【図７】
0006844872.tif 000008
【図８】
0006844872.tif 000009
【図９】
0006844872.tif 000010
【図１０】
0006844872.tif 000011
【図１１】
0006844872.tif 000012
【図１２】
0006844872.tif 000013
【図１３】
0006844872.tif 000014
【図１４】
0006844872.tif 000015
【図１５】
0006844872.tif 000016
【図１６】
0006844872.tif 000017
【図１７】
0006844872.tif 000018
【図１８】
0006844872.tif 000019
【図１９】
0006844872.tif 000020
【図２０】
0006844872.tif 000021
【図２１】
0006844872.tif 000022
【図２２】
0006844872.tif 000023
【図２３】
0006844872.tif 000024
【図２４】
0006844872.tif 000025
【図２５】
0006844872.tif 000026